(57)【要約】  音響特性を改善するための空間の体積分だけ携帯電話機が大きくなってしまうという課題があった。そこで表示部１１１を備えた上筐体１０１と、上筐体１０１の背面と対向して上筐体１０１に対して相対的に移動可能に連結されるとともに、内蔵されたスピーカ１０４が生成した音声を外部に放音するスピーカ開口１０８が形成された下筐体１０２と、上筐体１０１と相対的に移動可能に連結された状態で、上筐体１０１の背面と対向する下筐体１０２の正面に配設されたスピーカ開口の近傍において、任意の一方向に対して開放しつつ他の方向を閉鎖するようにスピーカ開口１０８を囲み、かつ下筐体１０２の端部まで延伸するように形成されたリブ１０６とを設けた。つまり、リブ１０６と上筐体１０１の背面を音響特性を改善するための空間として使用できるので、筐体内部の音響特性改善用の空間は不要となり、筐体を小型化・薄型化できる。
2007060730.tif 000002
【特許請求の範囲】
【請求項１】
画像を表示する表示部を備えた第一の筐体と、
この第一の筐体の正面の反対側の面である背面と対向して前記第一の筐体に対して相対的に移動可能に連結されるとともに、内蔵されたスピーカが生成した音声を外部に放音するスピーカ開口が形成された第二の筐体と、
前記第一の筐体と相対的に移動可能に連結された状態で、前記第一の筐体の背面と対向する前記第二の筐体の正面に配設された前記スピーカ開口の近傍において、前記第二の筐体上の任意の一方向に対して開放しつつ他の方向を閉鎖するように前記スピーカ開口を囲み、かつ前記第二の筐体の端部まで延伸するように形成されたリブとを設けたことを特徴とする携帯端末。
【請求項２】
第二の筐体は、スピーカの上端部がスピーカ開口近傍の前記第二の筐体の内側面に接触した状態で前記スピーカが実装されていることを特徴とする請求の範囲第１項に記載の携帯端末。
【請求項３】
第二の筐体は、前記第二の筐体に形成されたスピーカ開口の内側面に、スピーカの外側面が接触した状態で前記スピーカが実装されていることを特徴とする請求の範囲第１項に記載の携帯端末。
【請求項４】
画像を表示する表示部を備えた第一の筐体と、
この第一の筐体の正面の反対側の面である背面と対向して前記第一の筐体に対して相対的に移動可能に連結されるとともに、内蔵されたスピーカが生成した音声を外部に放音するスピーカ開口が形成された第二の筐体と、
前記第一の筐体と前記第二の筐体がほぼ重なった状態である閉状態時に、前記第二の筐体の前記スピーカ開口と対向する前記第一の筐体の背面上の所定位置において、前記第一の筐体の背面の任意の一方向に対して開放しつつ他の方向を閉鎖するように前記スピーカ開口を囲み、かつ前記第一の筐体の端部まで延伸するように形成された第一のリブと、
閉状態から前記第二の筐体の少なくとも一部が前記第一の筐体と重なる状態に遷移した開状態時に、前記スピーカ開口と対向する前記第一の筐体の背面上の所定位置において、前記第一の筐体の背面の任意の一方向に対して開放しつつ他の方向を閉鎖するように前記スピーカ開口を囲み、かつ前記第一の筐体の端部まで延伸するように形成された第二のリブとを設けたことを特徴とする携帯端末。
【請求項５】
第二の筐体は、スピーカの上端部がスピーカ開口近傍の前記第二の筐体の内側面に接触した状態で前記スピーカが実装されていることを特徴とする請求の範囲第４項に記載の携帯端末。
【請求項６】
第二の筐体は、前記第二の筐体に形成されたスピーカ開口の内側面に、スピーカの外側面が接触した状態で前記スピーカが実装されていることを特徴とする請求の範囲第４項に記載の携帯端末。
【発明の詳細な説明】
【技術分野】
【０００１】
本発明は、表示部を備えた上筐体と、操作部を備えた下筐体とをスライド可能に結合し、かつ音声を出力するスピーカを備えたスライド型の携帯端末に関する。
【背景技術】
【０００２】
スライド型の携帯端末（例えば携帯電話機）は、表示部と受話部を備えた上筐体に対して、操作部を備えた下筐体がほぼ平行に相対移動し、上筐体の表示部と受話部が露出し、下筐体の操作部が上筐体に覆われている「閉状態」から上筐体の表示部と受話部、下筐体の操作部がともに露出した「開状態」に移行する。スライド型携帯電話機は、かかる動作を実現するために、上筐体と下筐体をスライド可能に結合するスライド機構を有する。スライド型携帯電話機の一般的な構成は、特許文献１に開示されている。【０００３】
【特許文献１】特開２００３―１２５０５２号公報
【０００４】
また、最近の携帯電話機は音楽再生機能を実現していることから、複数のスピーカが設けられている。一般的な携帯電話機は、筐体内部にスピーカが設けられており、スピーカから出力された音声は貫通穴を介して外部に放出される。特許文献２に記載の携帯電話機は、貫通穴とスピーカ間に、スピーカから出力された音声が効率よく貫通穴に伝達されるように、スピーカと貫通穴間で音路を形成するダクトが設けられている。【０００５】
【特許文献２】特開２００１―１６８９６６号公報
【０００６】
また、特許文献３には、背面側にスピーカの放音孔が設けられたハンドセット型コードレス電話機において、電話機を仰向けに置いた場合に放音孔が塞がれることがないように、放音孔の近接位置に突起部を設けたものが開示されている。突起部を設けることにより、電話機が仰向けに置かれた状態で、突起部が放音孔と設置面との間に隙間を確保するので、放音孔が設置面によって塞がれるという問題は解決される。【０００７】
【特許文献３】実開１９９５−２５６４５号公報
【発明の開示】
【発明が解決しようとする課題】
【０００８】
ところで、スピーカから出力された音は、筐体外部に出力される前に、音響特性を改善するため、一定体積を有する空間を経由させられることが多い。その空間は、筐体内部に設置されたスピーカと、音を筐体の外部に出力する出力孔との間に設けられる（前気室と呼ばれることがある）。この空間は、スピーカと筐体開口の間の筐体内面側に設けられたリブにより形成されることが多いが、この空間の体積分だけ携帯電話機の体積が増加することから、小型・薄型化を図るうえで課題となっていた。また、携帯電話機の形状によっては、スピーカの放音孔から筐体外部に音声を導出するダクトのような「音道」を設け、スピーカの放音孔の開口方向と、筐体から再生音声を出力する音声出力孔の開口方向を異ならしめる場合もある。この場合、音道が音響特性の改善に資する「空間」となり得る。【０００９】
本発明は、上記のような課題を解決するためになされたものであって、「スライド型」と言う携帯電話機の形状を利用して、スピーカの実装体積を縮小させることによって携帯電話機の小型化・薄型化を図るものである。また、スライド型携帯電話機の開閉に応じて、筐体外部に音声を導出する方向を異ならせる携帯電話機を提供することを目的とする。
【課題を解決するための手段】
【００１０】
本発明に係る携帯端末は、画像を表示する表示部を備えた第一の筐体と、この第一の筐体の正面の反対側の面である背面と対向して第一の筐体に対して相対的に移動可能に連結されるとともに、内蔵されたスピーカが生成した音声を外部に放音するスピーカ開口が形成された第二の筐体と、第一の筐体と相対的に移動可能に連結された状態で、第一の筐体の背面と対向する第二の筐体の正面に配設されたスピーカ開口の近傍において、第二の筐体上の任意の一方向に対して開放しつつ他の方向を閉鎖するようにスピーカ開口を囲み、かつ第二の筐体の端部まで延伸するように形成されたリブとを設けたものである。【００１１】
本発明に係る携帯端末は、画像を表示する表示部を備えた第一の筐体と、この第一の筐体の正面の反対側の面である背面と対向して第一の筐体に対して相対的に移動可能に連結されるとともに、内蔵されたスピーカが生成した音声を外部に放音するスピーカ開口が形成された第二の筐体と、第一の筐体と第二の筐体がほぼ重なった状態である閉状態時に、第二の筐体の前記スピーカ開口と対向する第一の筐体の背面上の所定位置において、第一の筐体の背面の任意の一方向に対して開放しつつ他の方向を閉鎖するようにスピーカ開口を囲み、かつ第一の筐体の端部まで延伸するように形成された第一のリブと、閉状態から第二の筐体の少なくとも一部が第一の筐体と重なる状態に遷移した開状態時に、スピーカ開口と対向する第一の筐体の背面上の所定位置において、第一の筐体の背面の任意の一方向に対して開放しつつ他の方向を閉鎖するようにスピーカ開口を囲み、かつ第一の筐体の端部まで延伸するように形成された第二のリブとを設けたものである。
【発明の効果】
【００１２】
本発明に係る携帯端末は、画像を表示する表示部を備えた第一の筐体と、この第一の筐体の正面の反対側の面である背面と対向して第一の筐体に対して相対的に移動可能に連結されるとともに、内蔵されたスピーカが生成した音声を外部に放音するスピーカ開口が形成された第二の筐体と、第一の筐体と相対的に移動可能に連結された状態で、第一の筐体の背面と対向する第二の筐体の正面に配設されたスピーカ開口の近傍において、第二の筐体上の任意の一方向に対して開放しつつ他の方向を閉鎖するようにスピーカ開口を囲み、かつ第二の筐体の端部まで延伸するように形成されたリブとを設けたので、音響特性改善のための空間を筐体内側に設ける必要がないため、筐体を小型化・薄型化することができるという効果がある。【００１３】
本発明に係る携帯端末は、画像を表示する表示部を備えた第一の筐体と、この第一の筐体の正面の反対側の面である背面と対向して第一の筐体に対して相対的に移動可能に連結されるとともに、内蔵されたスピーカが生成した音声を外部に放音するスピーカ開口が形成された第二の筐体と、第一の筐体と第二の筐体がほぼ重なった状態である閉状態時に、第二の筐体の前記スピーカ開口と対向する第一の筐体の背面上の所定位置において、第一の筐体の背面の任意の一方向に対して開放しつつ他の方向を閉鎖するようにスピーカ開口を囲み、かつ第一の筐体の端部まで延伸するように形成された第一のリブと、閉状態から第二の筐体の少なくとも一部が第一の筐体と重なる状態に遷移した開状態時に、スピーカ開口と対向する第一の筐体の背面上の所定位置において、第一の筐体の背面の任意の一方向に対して開放しつつ他の方向を閉鎖するようにスピーカ開口を囲み、かつ第一の筐体の端部まで延伸するように形成された第二のリブとを設けたので、上下筐体の開閉状態によってリブとスピーカの位置関係を変化させ、スピーカ音声を異なる音道に導くことが可能となる。したがって、スライド開閉状態に応じて、端末の異なる側面からスピーカ音声を出力させることが可能となる。
【図面の簡単な説明】
【００１４】
【図１】本発明の実施の形態１に係るスライド型携帯電話機の外観斜視図である。
【図２】本発明の実施の形態１に係るスライド型携帯電話機の分解斜視図である。
【図３】スピーカ実装部分の断面図である。
【図４】音声出力孔の開口方向を比較して示す比較説明図である。
【図５】本発明の実施の形態２に係るスライド型携帯電話機の分解斜視図である。
【図６】スピーカ実装部分の断面図である。
【図７】本発明の実施の形態３に係るスライド型携帯電話機の分解斜視図である。
【図８】スライド開状態の音声出力孔の方向を示す説明図及び外観斜視図である。
【図９】スライド閉状態の音声出力孔の方向を示す説明図及び外観斜視図である。
【符号の説明】
【００１５】
１０１  上筐体、１０２  下筐体、１０３  下筐体上側側面、１０４  スピーカ、
１０５  音声出力孔、１０６  リブ、１０７  音道、１０８  隙間、１０９  放音孔、
１１０  表示ディスプレイ、１１１  受話スピーカ、１１２  キー操作部、
１１３  スピーカ振動板、３００  リブ、３０１  音声出力孔、３０２  リブ、
３０３  音声出力孔、３０４  リブ、３０５  音声出力孔、３０６  リブ、
３０７  音声出力孔、
【発明を実施するための最良の形態】
【００１６】
実施の形態１．
以下、この発明の実施の形態１について説明する。図１はスライド型携帯電話機の外観を示す外観斜視図である。図１では、上筐体１０１と下筐体１０２を開いた状態のスライド型携帯電話機が示される。図１のように上筐体１０１と下筐体１０２を開いた状態では、上筐体１０１の表示部１１０と受話部１１１、下筐体１０２の操作部１１２がともに露出した状態になる。一方、上筐体１０１と下筐体１０２を閉じた状態では、上筐体１０１の表示部１１０と受話部１１１が露出しており、下筐体１０２の操作部１１２が上筐体１０１に覆われた状態となる。図１に示すスライド型携帯電話機は、受話部１１１のほか、着信メロディや音楽再生用のスピーカを備えている。スピーカで再生された音声は、音声出力孔１０５よりスライド型携帯電話機の側面から外部に出力される。【００１７】
図２は、上筐体１０１と下筐体１０２を開いた状態のスライド型携帯電話機の分解斜視図である。上筐体１０１と下筐体１０２をスライドして開放した状態で、上筐体１０１と下筐体１０２が重なる部分（下筐体１０２の上端部側）にスピーカ１０４が設けられる。図２では、筐体開口である隙間１０８が配設されているが、この隙間１０８の奥にスピーカの放音孔１０９、スピーカ本体１０４が設けられている。そして、上筐体１０１の背面と対向する下筐体１０２の正面に配設された隙間１０８（スピーカ開口）の近傍において、下筐体１０２上の任意の一方向に対して開放しつつ他の方向を閉鎖するようにスピーカ開口を囲み、かつ下筐体１０２の端部まで延伸するように形成されたリブ１０６が設けられている。図２の場合、隙間１０８を囲みつつ、下筐体１０２の側面方向の一方向のみ開放し、他方向は閉鎖するリブ１０６が「コ」の字型に形成されている。リブ１０６は、図２によれば、下筐体１０２に形成されている。しかし、上筐体１０１と下筐体１０２をスライド可能に組み付けた状態で下筐体１０２と対向する上筐体１０１の面（背面側）に形成することも可能である。なお、図２において、図１と同一の符号は同一または相当部分を示すので説明は省略する。【００１８】
図３は、スピーカ実装部分の断面図である。図３において、スピーカ本体１０４は、振動板１１３、放音孔１０９から形成されている。また、このスピーカ１０４は基板に接触しており、電気的に接続されている。スピーカ１０４は下筐体上側側面１０３の開口に対応する位置の内側面に接触して設けられる。より詳細には、筐体開口をスピーカ１０４の径よりも小さく形成し、スピーカ１０４の上端部を筐体内側面に接触させて設けられる。図３に示す隙間１０８は下筐体１０２の面に設けられた開口であり、開口の面積と下筐体１０３の厚みより算出される体積を有する空間である（第一の空間）。そして、開口を音声出力孔１０５側の一方向のみを開放して囲むリブ１０６が下筐体１０２の外部に設けられている。スライド可能に連結される上筐体１０１と下筐体１０２の開閉状態に関わらず、上筐体１０１の背面はリブ１０６を覆っているので、上筐体１０１の背面とリブ１０６により空間が形成される（第二の空間）。つまり、第一の空間と第二の空間を、音響特性改善のための空間（前気室）として用いることができるので、音響特性改善のための前気室のような空間をスピーカ１０４と筐体開口までの内部側に設ける必要はなくなるという効果がある。【００１９】
図４は、音声出力方向を比較して示す比較説明図である。図４（a）は、下筐体１０２の背面に放音孔１０９を設けた一般的な携帯電話機を示しており、図４（ｂ）は、上筐体１０１と下筐体１０２をスライド可能に連結した状態で、上筐体１０１と対向する下筐体１０２の正面に放音孔１０９を設けた本発明に係る携帯電話機を示す。図４には図示しないが、図４（ｂ）の携帯電話機は、リブ１０６により形成された音道により、携帯電話機側面の音声出力孔より音声を外部に出力するので、携帯端末の左右に音を出すことができる。また、左右の音声出力孔間の距離を調整することにより、ステレオ効果や３Ｄ音響効果を高めることも可能である。【００２０】
上記説明のように、本発明は、スピーカ１０４を筐体開口の内側面に接触して設け、さらに、筐体開口を音声出力孔側の一方向のみを開放して囲むリブ１０６を設けることにより、開口の面積と筐体厚みより算出される体積を有する第一の空間と、上筐体背面とリブにより形成された第二の空間を音響特性改善のための空間として用いることができる。したがって、音響特性改善のための空間を筐体内側に設ける必要がないため、筐体を小型化・薄型化することができるという効果がある。【００２１】
実施の形態２．
実施の形態１に係る携帯端末は、筐体開口をスピーカ１０４の径よりも小さく形成してスピーカ１０４を筐体の内面に接触して設け、さらに、筐体開口を音声出力孔側の一方向のみを開放して囲むリブ１０６を設けることにより、開口の面積と筐体厚みより算出される体積を有する第一の空間と、上筐体背面とリブにより形成された第二の空間を音響特性改善のための空間として用いていた。しかし、スピーカ１０４を筐体の内面に接触して設けるのではなく、筐体開口をスピーカ１０４の径よりも大きく形成し、スピーカ１０４の側面を筐体開口の内側面に接触させ、スピーカ１０４の上端部をリブに接触させることにより、さらに筐体をさらに薄くすることができる。【００２２】
図５は、本発明の実施の形態２に係るスライド型携帯電話機の分解斜視図である。図５において、上筐体１０１と下筐体１０２をスライドして開放した状態で、上筐体１０１と下筐体１０２が重なる部分（下筐体１０２の上端部側）にスピーカ１０４の放音孔１０９が図示されている。リブ１０６は、放音孔１０９を囲みつつ、下筐体１０２の側面方向の一方向のみ開放し、他方向は閉鎖する「コ」の字型に形成されている。なお、図５において、図２と同一の符号は同一または相当部分を示すので説明は省略する。【００２３】
図６は、スピーカ実装部分の断面図である。図６において、筐体開口はスピーカ１０４の径よりも大きく形成されている。そして、スピーカ１０４は、外側面部を筐体開口の内側面に接触させ、その上端部をリブ１０６に接触させて設けられている。したがって、図６に示される構成においては、図３に示す隙間１０８はスピーカ１０４に占められているので、実施の形態１で説明した「第一の空間」に相当する空間は存在しない。一方、放音孔１０９を音声出力孔１０５側の一方向のみを開放して囲むリブ１０６と、上筐体１０１の背面により形成された空間（第二の空間）は存在し、この第二の空間が、音響特性改善のための空間として使用される。【００２４】
上記説明のように、筐体開口をスピーカ１０４の径よりも大きく形成し、スピーカ１０４の側面部を筐体開口の側面に接触させ、スピーカ１０４の上端部をリブ１０６に接触させて、スピーカ１０４を設けることにより、第一の空間の体積分だけ実装体積を削減することが可能となり、端末の小型化・薄型化することができるという効果を得ることができる。特に、筐体の厚み分だけ薄型化を図ることができるという効果がある。【００２５】
実施の形態３．
実施の形態１及び実施の形態２で説明したスライド型携帯電話機は、下筐体に設けられたスピーカ１０４を一方向を除いて囲むリブ１０６が下筐体１０２に設けられていた。そして、リブ１０６が形成した音道を介して、スピーカからの音声は携帯電話機の両側面に設けられた音声出力孔より外部に出力されていた。したがって、上筐体１０１と下筐体１０２の開閉状態に関わらず、リブ１０６とスピーカ１０４の位置関係は変化しないため、スピーカからの音声は携帯電話機側面の音声出力孔より出力される。【００２６】
以下説明するスライド型携帯電話機は、上筐体にリブを形成し、上筐体１０１と下筐体１０２の開閉状態によってリブとスピーカの位置関係を変化させることにより、上筐体１０１と下筐体１０２の開閉状態に応じて、スピーカからの音声が出力される筐体上の位置を変化させるものである。スライド型携帯電話機は、筐体の開閉状態に関わらず大型の表示ディスプレイが筐体上に露出している。つまり、従来のように、スライド型携帯電話機は、端末を手に保持した状態である「縦方向」で使用するのみならず、例えば、横置き型のホルダに載置した状態で横長の表示画面にＴＶ番組を表示したり、動画のアプリケーションを動作させるなどの「横方向」で使用したりすることも想定される。したがって、端末を「縦方向」で使用する場合と「横方向」で使用する場合で、スピーカ音声の出力位置を変更できると便利である。【００２７】
そこで、以下説明するスライド型携帯電話機は、上筐体１０１と下筐体１０２がほぼ重なった状態である閉状態時に、下筐体１０２のスピーカ開口１０８と対向する上筐体１０１の背面上の所定位置において、上筐体１０１の背面の任意の一方向に対して開放しつつ他の方向を閉鎖するようにスピーカ開口１０８を囲み、かつ上筐体１０１の端部まで延伸するように形成された第一のリブ３０４、３０６と、閉状態から下筐体１０２の少なくとも一部が上筐体１０１と重なる状態に遷移した開状態時に、スピーカ開口１０８と対向する上筐体の背面上の所定位置において、上筐体１０１の背面の任意の一方向に対して開放しつつ他の方向を閉鎖するようにスピーカ開口１０８を囲み、かつ上筐体１０１の端部まで延伸するように形成された第二のリブ３００、３０２とを設けた。【００２８】
図７は、本発明の実施の形態３に係るスライド型携帯電話機の分解斜視図である。図７（ａ）は、上筐体１０１と下筐体１０２を分解した状態を示す分解斜視図である。図７(ａ)において、下筐体１０２上の隙間１０８Ａ、１０８Ｂの周囲にはリブが形成されていない。下筐体１０２に形成された隙間１０８Ａ、１０８Ｂの奥方向にはスピーカ本体１０４がそれぞれ形成されている。以下の説明の便宜上、隙間１０８Ａを「第一のスピーカ開口」、隙間１０８Ｂを「第二のスピーカ開口」と称する。図７（ｂ）は、上筐体１０１の背面（上筐体１０１と下筐体１０２をスライド可能に組み付けた状態で下筐体１０２と対向する上筐体１０１の面）側の構成を示す斜視図である。図７（ｂ）において、上筐体１０１と下筐体１０２が閉じられた状態で、第一のスピーカ開口１０８Ａを囲むリブ３００、リブ３００が形成する音道を経由したスピーカ音声を外部に出力する音声出力孔３０１、第二のスピーカ開口１０８Ｂを囲むリブ３０２、リブ３０２が形成する音道を経由したスピーカ音声を外部に出力する音声出力孔３０３が図示される。つまり、上筐体１０１と下筐体１０２が閉じられた状態では、スピーカ音声は、端末をたてに保持した状態における上筐体１０１の上端部と下端部に形成された音声出力孔３０１、３０３から出力されることになる。言い換えれば、端末が横方向で載置された場合、ワイドな横長の表示画面の左右両方向から音が出力されることになる。【００２９】
一方、図７（ｂ）において、上筐体１０１と下筐体１０２が開かれた状態で、第一のスピーカ開口１０８Ａを囲むリブ３０４、リブ３０４が形成する音道を経由したスピーカ音声を外部に出力する音声出力孔３０５、第二のスピーカ開口１０８Ｂを囲むリブ３０６、リブ３０６が形成する音道を経由したスピーカ音声を外部に出力する音声出力孔３０７が図示される。つまり、上筐体１０１と下筐体１０２が開かれた状態では、スピーカ音声は、端末をたてに保持した状態における上筐体１０１の左右両側面に形成された音声出力孔３０５、３０７から出力されることになる。言い換えれば、端末が上下筐体が開かれた状態で、縦方向でユーザの手により保持されている場合、縦長の表示画面の左右両方向から音が出力されることになる。【００３０】
図８は、スライド開状態の音声出力孔の方向を示す説明図及び外観斜視図である。図８において、実線で示された部分は、上筐体１０１及び上筐体１０１に形成されたリブ３００、３０２、３０４、３０６であり、破線で示された部分は、下筐体１０２のスピーカ開口１０８Ａ、１０８Ｂである。上筐体１０１及び下筐体１０２の開閉に伴う各リブとスピーカ開口１０８Ａ、Ｂの相対位置を明確にするため、上筐体１０１に実装されていないスピーカ開口１０８Ａ、１０８Ｂを敢えて破線で図示している。上筐体１０１と下筐体１０２が開かれた状態のとき、下筐体１０２のスピーカ開口１０８Ａと１０８Ｂは、図８（ａ）に示されるように、それぞれ上筐体１０１のリブ３０４と３０６に囲まれた位置に存在する。したがって、図８（ｂ）に示されるように、端末を縦にした状態で、言い換えれば、表示ディスプレイ１１０が「縦長」の状態で、スピーカ音声は、上筐体１０１の左右両側面に形成された音声出力孔３０５、３０７から出力されることになる。上下筐体が開かれた端末が、縦方向でユーザの手により保持されている場合、縦長の表示画面の左右両方向から音が出力される。【００３１】
図９は、スライド閉状態の音声出力孔の方向を示す説明図及び外観斜視図である。図９において、図８と同一の符号は同一または相当部分を示すので説明は省略する。上筐体１０１と下筐体１０２が閉じられた状態のとき、下筐体１０２のスピーカ開口１０８Ａと１０８Ｂは、図９（ａ）に示されるように、それぞれ上筐体１０１のリブ３００と３０２に囲まれた位置に存在する。したがって、図９（ｂ）に示されるように、端末を横にした状態で、言い換えれば、表示ディスプレイ１１０が「横長」の状態で、スピーカ音声は、上筐体１０１の左右両側面に形成された音声出力孔３０１、３０３から出力されることになる。つまり、端末を横に保持した状態では、上筐体１０１の上端部と下端部に形成された音声出力孔から出力されている。端末が横方向で載置された場合、ワイドな横長の表示画面の左右両方向から音が出力されることになる。【００３２】
上記説明のように、本発明の実施の形態３に係るスライド型携帯電話機は、スライド開状態において上下筐体が重なる位置にスピーカが設けられた筐体（上記実施例では下筐体１０２）とは異なる筐体（上記実施例では上筐体１０１）にリブを形成した。また、このリブは、スライド開状態でスピーカを囲みつつ音道を形成するものと、スライド閉状態でスピーカを囲みつつ音道を形成するものを含むものである。つまり、スピーカが設けられた筐体とは異なる筐体にリブを形成し、かつ、このリブはスライド開状態及び閉状態のそれぞれの状態でスピーカを囲むものを含むので、上下筐体の開閉状態によってリブとスピーカの位置関係を変化させ、スピーカ音声を異なる音道に導くことが可能となる。したがって、スライド開閉状態に応じて、端末の異なる側面からスピーカ音声を出力させることが可能となる。特に上記説明のような構成を採用することにより、端末の異なる側面からスピーカ音声を出力させるためのスピーカを新たに増設する必要がないので、端末の小型化・薄型化のほか、費用を低減させることもできる。【００３３】
なお、上記説明では、スピーカ１０４が下筐体１０２に実装された構成について説明していない。しかし、この点については、実施の形態１ないし実施の形態２で説明した技術的特長を適宜採用すればよい。このように、実施の形態１ないし実施の形態２で説明したようにスピーカ１０４を実装することにより、端末の小型化・薄型化をよりいっそう図ることが可能となる。
【産業上の利用可能性】
【００３４】
本発明は、実施の形態で説明したスライド型携帯電話機のみならず、音声再生可能で通信機能を備えた携帯通信端末や、通信機能を備えていない携帯用の音楽再生機器にも適用することが可能である。
【図１】
2007060730.tif 000003
【図２】
2007060730.tif 000004
【図３】
2007060730.tif 000005
【図４】
2007060730.tif 000006
【図５】
2007060730.tif 000007
【図６】
2007060730.tif 000008
【図７】
2007060730.tif 000009
【図８】
2007060730.tif 000010
【図９】
2007060730.tif 000011
【国際調査報告】
2007060730.tif 000012
2007060730.tif 000013
2007060730.tif 000014
2007060730.tif 000015
2007060730.tif 000016